(57)【要約】  特定の実施形態によれば、ネットワークノードによって実施される方法は、システム情報の送信を送信することを含む。送信は、サーキュラーバッファから読み取ることによって得られる符号化ビットを含む。送信は、複数の無線フレームのサブフレーム＃４に対応する第１のサブフレームセットで送信される。方法はさらに、システム情報の追加の送信を送信することを含む。追加の送信は、サーキュラーバッファから継続して読み取ることによって得られる追加の符号化ビットを含む。追加の送信は、サブフレーム＃４以外の複数の無線フレームのサブフレームに対応する第２のサブフレームセットで送信される。【選択図】図３
2021503751.tif 000002
【特許請求の範囲】
【請求項１】
サーキュラーバッファから読み取ることによって得られる符号化ビットを含むシステム情報の送信を送信すること（６２）であって、前記送信は、複数の無線フレームのサブフレーム＃４に対応する第１のサブフレームセットで送信される、システム情報の送信を送信すること（６２）と、
前記システム情報の追加の送信を送信すること（６３）であって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信すること（６３）とを含む、ネットワークノードで使用される方法。
【請求項２】
前記第２のサブフレームセットがサブフレーム＃３に対応する、請求項１に記載の方法。
【請求項３】
前記第１のサブフレームセットの１６回の繰返しを設定すること（６０）と、
前記第１のサブフレームセットの前記１６回の繰返しを設定したことに基づいて、前記第２のサブフレームセットを設定すること（６１）とをさらに含む、請求項１又は２に記載の方法。
【請求項４】
前記第１のサブフレームセットが、１つおきのサブフレーム＃４で送信される８つのサブフレームを含む、請求項１から３のいずれか一項に記載の方法。
【請求項５】
前記第１のサブフレームセットの１６回の繰返しを送信すること（６４）をさらに含む、請求項４に記載の方法。
【請求項６】
前記サーキュラーバッファからの読取りの開始インデックスが、前記システム情報にマッピングすることができる符号化ビットの数、及び前記サーキュラーバッファのサイズに基づいて、モジュロ関数を使用して得られる、請求項１から５のいずれか一項に記載の方法。
【請求項７】
前記システム情報がシステム情報ブロックタイプ１−狭帯域（ＳＩＢ１−ＮＢ）情報を含む、請求項１から６のいずれか一項に記載の方法。
【請求項８】
サーキュラーバッファから読み取ることによって得られる符号化ビットを含むシステム情報の送信を送信することであって、前記送信は、複数の無線フレームのサブフレーム＃４に対応する第１のサブフレームセットで送信される、システム情報の送信を送信することと、
前記システム情報の追加の送信を送信することであって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信することとを行うように動作可能である、ネットワークノード（１６０、４１２、又は５２０）。
【請求項９】
前記第２のサブフレームセットがサブフレーム＃３に対応する、請求項８に記載のネットワークノード。
【請求項１０】
前記ネットワークノードが、
前記第１のサブフレームセットの１６回の繰返しを設定し、
前記第１のサブフレームセットの前記１６回の繰返しを設定したことに基づいて、前記第２のサブフレームセットを設定するようにさらに動作可能である、請求項８又は９に記載のネットワークノード。
【請求項１１】
前記第１のサブフレームセットが、１つおきのサブフレーム＃４で送信される８つのサブフレームを含む、請求項８から１０のいずれか一項に記載のネットワークノード。
【請求項１２】
前記ネットワークノードが、
前記第１のサブフレームセットの１６回の繰返しを送信するようにさらに動作可能である、請求項１１に記載のネットワークノード。
【請求項１３】
前記サーキュラーバッファからの読取りの開始インデックスが、前記システム情報にマッピングすることができる符号化ビットの数、及び前記サーキュラーバッファのサイズに基づいて、モジュロ関数を使用して得られる、請求項８から１２のいずれか一項に記載のネットワークノード。
【請求項１４】
前記システム情報がシステム情報ブロックタイプ１−狭帯域（ＳＩＢ１−ＮＢ）情報を含む、請求項８から１３のいずれか一項に記載のネットワークノード。
【請求項１５】
ネットワークノードによって実行されたとき、
サーキュラーバッファから読み取ることによって得られる符号化ビットを含むシステム情報の送信を送信すること（６２）であって、前記送信は、複数の無線フレームのサブフレーム＃４に対応する第１のサブフレームセットで送信される、システム情報の送信を送信すること（６２）と、
前記システム情報の追加の送信を送信すること（６３）であって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信すること（６３）とを含む動作を、前記ネットワークノードに実施させる命令を含む、コンピュータプログラム製品。
【請求項１６】
システム情報の送信を受信すること（７０）であって、前記送信は、複数の無線フレームのサブフレーム＃４に対応する第１のサブフレームセットで受信される符号化ビットを含む、システム情報の送信を受信すること（７０）と、
前記システム情報の追加の送信を受信すること（７１）であって、前記追加の送信は、追加の符号化ビットを含み、前記追加の送信は、サブフレーム＃４以外の前記複数の無線フレームのサブフレームに対応する第２のサブフレームセットで受信される、追加の送信を受信すること（７１）とを含み、
前記追加の符号化ビットが、前記符号化ビットと関連付けられた開始インデックスから継続する、開始インデックスと関連付けられる、ワイヤレスデバイスで使用される方法。
【請求項１７】
前記第２のサブフレームセットがサブフレーム＃３に対応する、請求項１６に記載の方法。
【請求項１８】
前記符号化ビットと関連付けられた前記開始インデックスにしたがって、前記符号化ビットをサーキュラーバッファに記憶すること（７２）と、
前記符号化ビットと関連付けられた前記開始インデックスから継続する前記開始インデックスにしたがって、前記追加の符号化ビットを前記サーキュラーバッファに記憶すること（７３）とをさらに含む、請求項１６又は１７に記載の方法。
【請求項１９】
第１の開始インデックスが、前記システム情報にマッピングすることができる符号化ビットの数、及び前記サーキュラーバッファのサイズに基づいて、モジュロ関数を使用して得られる、請求項１８に記載の方法。
【請求項２０】
前記システム情報がシステム情報ブロックタイプ１−狭帯域（ＳＩＢ１−ＮＢ）情報を含む、請求項１６から１９のいずれか一項に記載の方法。
【請求項２１】
システム情報の送信を受信することであって、前記送信は、複数の無線フレームのサブフレーム＃４に対応する第１のサブフレームセットで受信される符号化ビットを含む、システム情報の送信を受信することと、
前記システム情報の追加の送信を受信することであって、前記追加の送信は、追加の符号化ビットを含み、前記追加の送信は、サブフレーム＃４以外の前記複数の無線フレームのサブフレームに対応する第２のサブフレームセットで受信される、追加の送信を受信することとを行うように動作可能であり、
前記追加の符号化ビットが、前記符号化ビットと関連付けられた開始インデックスから継続する、開始インデックスと関連付けられる、ワイヤレスデバイス（１１０、２００、４９１、４９２、又は５３０）。
【請求項２２】
前記第２のサブフレームセットがサブフレーム＃３に対応する、請求項２１に記載のワイヤレスデバイス。
【請求項２３】
前記符号化ビットと関連付けられた前記開始インデックスにしたがって、前記符号化ビットをサーキュラーバッファに記憶し、
前記符号化ビットと関連付けられた前記開始インデックスから継続する前記開始インデックスにしたがって、前記追加の符号化ビットを前記サーキュラーバッファに記憶するようにさらに動作可能である、請求項２１又は２２に記載のワイヤレスデバイス。
【請求項２４】
第１の開始インデックスが、前記システム情報にマッピングすることができる符号化ビットの数、及び前記サーキュラーバッファのサイズに基づいて、モジュロ関数を使用して得られる、請求項２３に記載のワイヤレスデバイス。
【請求項２５】
前記システム情報がシステム情報ブロックタイプ１−狭帯域（ＳＩＢ１−ＮＢ）情報を含む、請求項２１から２４のいずれか一項に記載のワイヤレスデバイス。
【請求項２６】
ワイヤレスデバイスによって実行されたとき、
システム情報の送信を受信することであって、前記送信は、複数の無線フレームのサブフレーム＃４に対応する第１のサブフレームセットで受信される符号化ビットを含む、システム情報の送信を受信することと、
前記システム情報の追加の送信を受信することであって、前記追加の送信は、追加の符号化ビットを含み、前記追加の送信は、サブフレーム＃４以外の前記複数の無線フレームのサブフレームに対応する第２のサブフレームセットで受信される、追加の送信を受信することとを含む動作を、前記ワイヤレスデバイスに実施させる命令を含み、
前記追加の符号化ビットが、前記符号化ビットと関連付けられた開始インデックスから継続する、開始インデックスと関連付けられる、コンピュータプログラム製品。
【発明の詳細な説明】
【技術分野】
【０００１】
本開示の特定の実施形態は、概して、ワイヤレス通信に関し、より詳細には、狭帯域モノのインターネットのネットワークにおいて、追加のシステム情報ブロックタイプ１−狭帯域（ＳＩＢ１−ＮＢ）サブフレームを送信及び受信する方法に関する。
【背景技術】
【０００２】
狭帯域モノのインターネット（ＮＢ−ＩｏＴ）は、セルラ式モノのインターネットのために、第三世代パートナーシッププロジェクト（３ＧＰＰ）によって２０１６年に導入された狭帯域システムである。システムは、装置の電力消費を非常に低くするように最適化された物理レイヤを使用して、ネットワークサービスにアクセスを提供する。さらに、システムは、システム帯域幅を１８０ｋＨｚしか要しない展開の柔軟性と、最大１６４ｄＢの結合損失に対応する堅牢なカバレッジとを達成するように設計される。システムは、ロングタームエボリューション（ＬＴＥ）システムと良好に共存する。例えば、システムは、ＬＴＥの物理資源ブロック（ＰＲＢ）の１つを使用して、ＬＴＥキャリア内部で展開することができ、又はＬＴＥ保護帯域内で展開することができる。システム帯域幅がかなり小さいため、リファームされた（ｒｅｆａｒｍｅｄ）ＧＳＭスペクトルを使用して展開することもできる。図１は、３つのＮＢ−ＩｏＴ動作モードを示している。
【０００３】
ＮＢ−ＩｏＴは次の特性を有する。
−低スループットのデバイス（例えば、２ｋｂｐｓ）
−低い遅延感度（〜１０秒）
−非常に低いデバイスコスト（５ドル未満）
−低いデバイス電力消費（電池寿命１０年）
【０００４】
このシステムの各セル（〜１ｋｍ２）は、センサ、メータ、アクチュエータなど、数万（〜５０，０００）のデバイスに対応することが想到される。
【０００５】
２０１６年に導入されてから、多くのさらなる改善がＮＢ−ＩｏＴに導入されてきた。最近、３ＧＰＰは、システム取得の性能の改善に取り組んでいる。システム取得のステップの１つは、デバイスがＮＢ−ＩｏＴシステム情報タイプ１（ＳＩＢ１−ＮＢ）を取得することである。ＳＩＢ１−ＮＢは、他のシステム情報ブロック、ＳＩＢ２−ＮＢ、ＳＩＢ３−ＮＢ、ＳＩＢ４−ＮＢ、ＳＩＢ５−ＮＢ、ＳＩＢ１４−ＮＢ、及びＳＩＢ１６−ＮＢの、スケジューリング情報などの情報を保持する。かかる情報により、デバイスは、これらの追加のシステム情報ブロックをどのように取得するかが分かる。
【０００６】
ＳＩＢ１−ＮＢは、最大１６回繰り返すことができ、その場合、ＳＩＢ１−ＮＢ符号語が８つのサブフレームで送信され、これらのサブフレームはそれぞれ、１つおきにサブフレーム＃４で送信される。無線フレームは１０個のサブフレームを有する。図２に例示が示される。ここで、１６回の繰返しのうち２回のみが示されている。ＮはＳＩＢ１−ＮＢ符号語の長さとする。ＳＩＢ１−ＮＢ符号語は、長さＮのスクランブルシーケンスに基づいてスクランブルされる。ｗ（ｎ）及びｃ（ｎ）をそれぞれ、ｎ番目の符号化ビット及びスクランブルシーケンスのｎ番目の要素とする。したがって、ｎ番目のスクランブルされた符号化ビットは、次式の通りである。
ｗ’（ｎ）＝ｗ（ｎ）＋ｃ（ｎ），ｎ＝０，１，・・・，Ｎ−１
【０００７】
ここで、加法は排他的論理和演算である。スクランブルシーケンスは各繰返しの開始時に再初期化される。
【発明の概要】
【０００８】
現在、特定の課題が存在している。特定の展開シナリオにおいて、良好でないカバレッジにあるデバイスには、長いシステム取得時間がかかることがあることが見出されている。リリース１５では、３ＧＰＰは、ＳＩＢ１−ＮＢ送信に追加のサブフレームを使用することを決定している。レガシーＳＩＢ１−ＮＢが送信される同じフレームのサブフレーム＃３は、追加のＳＩＢ１−ＮＢサブフレームとして使用されてもよいことが合意されている。
【０００９】
１つの重要な課題は、追加のＳＩＢ１−ＮＢサブフレームに対する符号化ビット及びスクランブルシーケンスをどのように生成するかである。望ましい設計は、次の基準を満たすべきである。
・後方互換性でなければならない。
・セル間干渉を抑制するため、良好な処理利得を達成しなければならない。これを達成するため、追加のＳＩＢ１−ＮＢサブフレーム（即ち、サブフレーム＃３）で使用されるスクランブルシーケンスが、レガシーＳＩＢ１−ＮＢサブフレーム（即ち、サブフレーム＃４）とは異なることが望ましい。
・それによって記憶要件を大幅に増大させるべきではない。
【００１０】
本開示の特定の態様及びそれらの実施形態は、これら又は他の課題に対する解決策を提供することができる。本明細書に開示する課題の１つ又は複数に対処する様々な実施形態を、本明細書において提案する。例えば、実施形態は次のものを含む。
（１）ＳＩＢ１−ＮＢの搬送ブロックサイズに基づいて、追加のＳＩＢ１−ＮＢサブフレームの数を決定すること。
（２）追加のＳＩＢ１−ＮＢサブフレームで送信される符号化ビットを生成する方法。
（３）追加のＳＩＢ１−ＮＢサブフレームで送信される符号化ビットをスクランブルするのに使用される、スクランブルシーケンスを生成する方法。
【００１１】
特定の実施形態によれば、ネットワークノードによって実施される方法は、システム情報の送信を送信することを含む。送信は、サーキュラーバッファから読み取ることによって得られる符号化ビットを含む。送信は、複数の無線フレームのサブフレーム＃４に対応する第１のサブフレームセットで送信される。方法はさらに、システム情報の追加の送信を送信することを含む。追加の送信は、サーキュラーバッファから継続して読み取ることによって得られる追加の符号化ビットを含む。追加の送信は、サブフレーム＃４以外の複数の無線フレームのサブフレームに対応する第２のサブフレームセットで送信される。
【００１２】
特定の実施形態によれば、基地局は、電源回路と処理回路とを備える。電源回路は、電力をネットワークノードに供給するように設定される。処理回路は、システム情報の送信を送信するように設定される。送信は、サーキュラーバッファから読み取ることによって得られる符号化ビットを含む。送信は、複数の無線フレームのサブフレーム＃４に対応する第１のサブフレームセットで送信される。処理回路はさらに、システム情報の追加の送信を送信するように設定される。追加の送信は、サーキュラーバッファから継続して読み取ることによって得られる追加の符号化ビットを含む。追加の送信は、サブフレーム＃４以外の複数の無線フレームのサブフレームに対応する第２のサブフレームセットで送信される。
【００１３】
特定の実施形態によれば、コンピュータプログラム製品は、ネットワークノードによって実行されたとき、ネットワークノードにシステム情報の送信を送信させる、命令を含む。送信は、サーキュラーバッファから読み取ることによって得られる符号化ビットを含む。送信は、複数の無線フレームのサブフレーム＃４に対応する第１のサブフレームセットで送信される。命令はさらに、ネットワークノードによって実行されたとき、ネットワークノードにシステム情報の追加の送信を送信させる。追加の送信は、サーキュラーバッファから継続して読み取ることによって得られる追加の符号化ビットを含む。追加の送信は、サブフレーム＃４以外の複数の無線フレームのサブフレームに対応する第２のサブフレームセットで送信される。
【００１４】
上述の方法、基地局、及びコンピュータプログラムは、以下のもののうち任意の１つ又は複数など、１つ又は複数の追加の特徴を含んでもよい。
【００１５】
いくつかの実施形態では、第２のサブフレームセットはサブフレーム＃３に対応する。
【００１６】
いくつかの実施形態では、第１のサブフレームセットの１６回の繰返しが設定され、第２のサブフレームセットは、第１のサブフレームセットの１６回の繰返しを設定したことに基づいて設定される。
【００１７】
いくつかの実施形態では、第１のサブフレームセットは、１つおきのサブフレーム＃４で送信される８つのサブフレームを含む。
【００１８】
いくつかの実施形態では、第１のサブフレームセットの１６回の繰返しが送信される。
【００１９】
いくつかの実施形態では、サーキュラーバッファからの読取りの開始インデックスは、システム情報にマッピングすることができる符号化ビットの数、及びサーキュラーバッファのサイズに基づいて、モジュロ関数を使用して得られる。
【００２０】
いくつかの実施形態では、システム情報はＳＩＢ１−ＮＢ情報を含む。
【００２１】
特定の実施形態によれば、ワイヤレスデバイスによって実施される方法は、システム情報の送信を受信することを含む。送信は、複数の無線フレームのサブフレーム＃４に対応する第１のサブフレームセットで受信される符号化ビットを含む。方法はさらに、システム情報の追加の送信を受信することを含む。追加の送信は追加の符号化ビットを含む。追加の送信は、サブフレーム＃４以外の複数の無線フレームのサブフレームに対応する第２のサブフレームセットで受信される。追加の符号化ビットは、符号化ビットと関連付けられた開始インデックスから継続する、開始インデックスと関連付けられる。
【００２２】
特定の実施形態によれば、ワイヤレスデバイスは、電源回路と処理回路とを備える。電源回路は、電力をワイヤレスデバイスに供給するように設定される。処理回路は、システム情報の送信を受信するように設定される。送信は、複数の無線フレームのサブフレーム＃４に対応する第１のサブフレームセットで受信される符号化ビットを含む。処理回路は、システム情報の追加の送信を受信するようにさらに設定される。追加の送信は追加の符号化ビットを含む。追加の送信は、サブフレーム＃４以外の複数の無線フレームのサブフレームに対応する第２のサブフレームセットで受信される。追加の符号化ビットは、符号化ビットと関連付けられた開始インデックスから継続する、開始インデックスと関連付けられる。
【００２３】
特定の実施形態によれば、コンピュータプログラム製品は、ワイヤレスデバイスによって実行されたとき、ワイヤレスデバイスにシステム情報の送信を受信させる、命令を含む。送信は、複数の無線フレームのサブフレーム＃４に対応する第１のサブフレームセットで受信される符号化ビットを含む。命令はさらに、ワイヤレスデバイスによって実行されたとき、ワイヤレスデバイスにシステム情報の追加の送信を受信させる。追加の送信は追加の符号化ビットを含む。追加の送信は、サブフレーム＃４以外の複数の無線フレームのサブフレームに対応する第２のサブフレームセットで受信される。追加の符号化ビットは、符号化ビットと関連付けられた開始インデックスから継続する、開始インデックスと関連付けられる。
【００２４】
上述の方法、ワイヤレスデバイス、及びコンピュータプログラムは、以下のもののうち任意の１つ又は複数など、１つ又は複数の追加の特徴を含んでもよい。
【００２５】
いくつかの実施形態では、第２のサブフレームセットはサブフレーム＃３に対応する。
【００２６】
いくつかの実施形態では、第１のサブフレームセットは、１つおきのサブフレーム＃４で受信される８つのサブフレームを含む。
【００２７】
いくつかの実施形態では、システム情報の少なくとも一部分は、第１のサブフレームセットの１つ又は複数の繰返しで受信される。
【００２８】
いくつかの実施形態では、符号化ビットは、符号化ビットと関連付けられた開始インデックスにしたがって、サーキュラーバッファに記憶され、追加の符号化ビットは、符号化ビットと関連付けられた開始インデックスから継続する開始インデックスにしたがって、サーキュラーバッファに記憶される。
【００２９】
いくつかの実施形態では、第１の開始インデックスは、システム情報にマッピングすることができる符号化ビットの数、及びサーキュラーバッファのサイズに基づいて、モジュロ関数を使用して得られる。
【００３０】
いくつかの実施形態では、システム情報はＳＩＢ１−ＮＢ情報を含む。
【００３１】
特定の実施形態によれば、アップリンクパイロット時間スロット（ＵｐＰＴＳ）及びダウンリンクパイロット時間スロット（ＤｗＰＴＳ）フィールドの使用は、時分割多重（ＴＤＤ）モードのＮＢ−ＩｏＴ送信専用のサブフレームで継続される。ダウンリンク（ＤＬ）の場合、直交周波数分割多重（ＯＦＤＭ）符号のうちいくつかのＤｗＰＴＳフィールドにわたる再マッピングは、専用サブフレームに先行するＤＬサブフレームで行われる。アップリンク（ＵＬ）の場合、ＯＦＤＭ符号のうちいくつかのＵｐＰＴＳフィールドにわたるプレマッピングは、専用サブフレーム直後に送信されるＵＬサブフレームで行われる。
【００３２】
特定の実施形態は、以下の技術的利点の１つ又は複数を提供してもよい。本開示の実施形態は上述の基準を満たす。
・後方互換性である。
・セル間干渉を抑制するため、良好な処理利得を達成する。これを達成するため、追加のＳＩＢ１−ＮＢサブフレーム（即ち、サブフレーム＃３）で使用されるスクランブルシーケンスが、レガシーＳＩＢ１−ＮＢサブフレーム（即ち、サブフレーム＃４）とは異なることが望ましい。
・それによって記憶要件は大幅に増大しない。
【図面の簡単な説明】
【００３３】
【図１】いくつかの実施形態による、ＮＢ−ＩｏＴ動作モードの一例を示す図である。
【図２】いくつかの実施形態による、ＳＩＢ１−ＮＢの繰返しの一例を示す図である。
【図３】いくつかの実施形態による、拡張ＳＩＢ１−ＮＢ符号語の一例を示す図である。
【図４】いくつかの実施形態による、スクランブルシーケンスの始まりに対するオフセット値の一例を示す図である。
【図５】いくつかの実施形態による、シーケンスシフト動作の一例を示す図である。
【図６】いくつかの実施形態による、ネットワークノードによって実施され得る方法の一例を示す図である。
【図７】いくつかの実施形態による、ワイヤレスデバイスによって実施され得る方法の一例を示す図である。
【図８】いくつかの実施形態による、ワイヤレスネットワークの一例を示す図である。
【図９】いくつかの実施形態による、ユーザ機器の一例を示す図である。
【図１０】いくつかの実施形態による、仮想化環境の一例を示す図である。
【図１１】いくつかの実施形態による、ホストコンピュータに中間ネットワークを介して接続された電気通信ネットワークの一例を示す図である。
【図１２】いくつかの実施形態による、部分的にワイヤレスな接続を介してユーザ機器と基地局を介して通信するホストコンピュータの一例を示す図である。
【図１３】いくつかの実施形態による、ホストコンピュータ、基地局、及びユーザ機器を含む通信システムにおいて実装される方法の一例を示す図である。
【図１４】いくつかの実施形態による、ホストコンピュータ、基地局、及びユーザ機器を含む通信システムにおいて実装される方法の一例を示す図である。
【図１５】いくつかの実施形態による、ホストコンピュータ、基地局、及びユーザ機器を含む通信システムにおいて実装される方法の一例を示す図である。
【図１６】いくつかの実施形態による、ホストコンピュータ、基地局、及びユーザ機器を含む通信システムにおいて実装される方法の一例を示す図である。
【発明を実施するための形態】
【００３４】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【００３５】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００３６】
追加のＳＩＢ１−ＮＢサブフレームの数
各ＳＩＢ１−ＮＢ符号語は、８つのＳＩＢ１−ＮＢサブフレームで送信され、２５６フレームの送信間隔で最大１６回繰り返されるように設定することができる。１６回の使用が十分でない場合にのみ、追加のＳＩＢ１−ＮＢの繰返しを設定することに意味があることに留意されたい。１６回繰り返すように設定されると、図２に示されるように、１つおきのサブフレーム＃４がＳＩＢ１−ＮＢ送信に使用される。サブフレーム＃３が付加的にＳＩＢ１−ＮＢ送信に使用される場合、３つの選択肢を考慮することができる。
・選択肢１：１つおきのサブフレーム＃３を使用する。
・選択肢２：３つおきのサブフレーム＃３を使用する。
・選択肢３：７つおきのサブフレーム＃３を使用する。
【００３７】
７つおきのサブフレーム＃３を使用する選択肢３は、性能を約１０ｌｏｇ１０（２０／１６）＝１ｄＢ改善することが期待される。この改善は、特定の用途のためには小さすぎることがある。選択肢１及び２はそれぞれ性能を３又は１．８ｄＢ改善するが、ＮＢ−ＩｏＴアンカーキャリア上の５％及び２．５％のオーバーヘッドが損なわれる。
【００３８】
ＳＩＢ１−ＮＢに対応した、２０８、３２８、４４０、及び６８０の４つの異なる搬送ブロックサイズ（ＴＢＳ）がある。ＴＢＳが小さいとき、符号化利得は比較的大きいので、少数の繰返しを設定することができる。ＴＢＳが大きいと、より多くの繰返しがより有用であることが予測できる。例えば、ＴＢＳが２０８及び３２８の場合、選択肢２を使用することができ、ＴＢＳが４４０及び６８０の場合、選択肢１を使用することができる。
【００３９】
追加のＳＩＢ１−ＮＢ送信における符号化ビット対サブフレームの割当て
テールバイティング畳み込み符号（ＴＢＣＣ）符号化ビットは、仮想バッファから読み取ることによって生成される。ＥをＳＩＢ１−ＮＢ符号語の長さとする。３ＧＰＰ技術仕様書３６．２１２における従属節５．１．４．２．２のレートマッチング動作にしたがって、ＳＩＢ１−ＮＢに対するＴＢＣＣ符号語、
2021503751.tif 000003
を得ることができる。ここで、下付き文字「４」を使用して、その符号語
2021503751.tif 000004
がレガシーＳＩＢ１−ＮＢ送信に使用されるサブフレーム＃４にマッピングされることを示す。ＳＩＢ１−ＮＢが１６回の繰返しに設定されていると、図２に示されるように、符号語ｗ４は１６フレームで送信される。Ｋは、１６フレーム間隔で追加のＳＩＢ１−ＮＢ送信に使用される、サブフレーム＃３の数と仮定する。これらの追加のサブフレームに適合させることができる符号化ビットの数は、
2021503751.tif 000005
である。１つおきのサブフレーム＃３がＳＩＢ１−ＮＢに使用される場合、Ｋ＝８であり、したがってＥ’＝Ｅであることが注目される。本開示は、追加のＳＩＢ１−ＮＢ送信に使用されるサブフレーム＃３にマッピングされる符号化ビットが、仮想サーキュラーバッファから継続して読み取ることによって生成されることを提案し、
2021503751.tif 000006
、即ち、
2021503751.tif 000007
である。符号語
2021503751.tif 000008
は、リリース１５のユーザ機器（ＵＥ）によって予期される拡張ＳＩＢ１−ＮＢ符号語と考えることができる。第１の部分、リリース１３又はリリース１４のＵＥによって予期される元のリリース１４のＳＩＢ１−ＮＢ符号語と、第２の部分、追加のリリース１５のＳＩＢ１−ＮＢサブフレームにマッピングされた符号語拡張部分とから成る。これら追加の符号化ビットの、ＳＩＢ１−ＮＢ送信に使用されるサブフレーム＃３の資源要素に対するマッピングは、ＳＩＢ１−ＮＢ送信に使用されるサブフレーム＃４に対するＳＩＢ１−ＮＢ符号化ビットのマッピングと全く同じ方法にしたがう。図３に例示が示される（ＳＩＢ１−ＮＢサブフレームに対するＲｅｌ−１５拡張符号語のマッピングの例示）。各ＳＩＢ１−ＮＢサブフレームに対して、仮想サーキュラーバッファの読出しの適切な開始インデックスを使用することによって、符号化ビットを得ることができる。
【００４０】
ＴＢＳ＝Ｓを所与として、仮想サーキュラーバッファのサイズは３Ｓである。ここで、因子３は、レート１／３のＴＢＣをマザー符号として使用することによる。
【００４１】
ｉ番目（ｉ＝０，１，・・・，７）のレガシーＳＩＢ１−ＮＢサブフレームに対する（即ち、サブフレーム＃４で送信される）符号化ビットを得るために仮想サーキュラーバッファを読み出す開始インデックスは、ｍｏｄ（ｉＮ，３Ｓ）であり、Ｎは、１つのＳＩＢ１−ＮＢサブフレームにマッピングすることができる符号化ビットの数である。
【００４２】
本開示の特定の実施形態は、追加のＳＩＢ１−ＮＢサブフレームに対する符号化ビットを生成するために、レガシーＳＩＢ１−ＮＢサブフレームに対する符号化ビットを生成するのに用いたのと同じ仮想サーキュラーバッファを使用する。したがって、仮想サーキュラーバッファのサイズは増大しない。ｉ番目（ｉ＝０，１，・・・，Ｌ）の追加のＳＩＢ１−ＮＢサブフレームに対する（即ち、サブフレーム＃３で送信される）符号化ビットを得るために仮想サーキュラーバッファを読み出す開始インデックスは、ｍｏｄ（ｉＮ＋８Ｎ，３Ｓ）であり、Ｌは、選択肢１の場合は８、選択肢２の場合は４である。
【００４３】
上述の例は送信側の動作について記載してきた。受信側では、仮想サーキュラーバッファは受信したソフト値を記憶するのに使用される。この場合、仮想サーキュラーバッファは、ＳＩＢ１−ＮＢ受信の開始時に全てゼロの値に初期化されるデコーダソフトバッファである。受信した各ソフト値は、次に、適正にアドレスされたデコーダソフトバッファ位置に追加される。そのため、上述した開始インデックスは、各ＳＩＢ１−ＮＢサブフレームの受信したソフト値をサーキュラーデコーダソフトバッファに追加するための開始インデックスである。
【００４４】
スクランブルマスクの生成
３ＧＰＰ技術仕様書３６．２１１によれば、ＳＩＢ１−ＮＢサブフレームのスクランブルマスクを生成するスクランブルシーケンス発生器は、繰返しごとに後述にしたがって再初期化されるものとする。
2021503751.tif 000009
式中、
ｎＲＮＴＩ  無線ネットワーク一時識別子、
2021503751.tif 000010
物理レイヤセル識別情報、
ｎｆ  システムフレーム番号である。
【００４５】
ＬＴＥスクランブルシーケンスは、２つのｍシーケンス発生器を使用して生成される、ゴールドシーケンスに基づく。スクランブルシーケンスを再初期化する際、第１のｍシーケンスは、ｘ１（０）＝１，ｘ１（ｎ）＝０，ｎ＝１，２，・・・，３０で初期化される。第２のｍシーケンスの初期化は、
2021503751.tif 000011
によって示され、値は式（１）に基づいて決定される。
【００４６】
本開示の特定の実施形態は、リリース１３及びリリース１４の仕様書に基づいた同じ再初期化スキームを使用する。しかしながら、スクランブルシーケンスは、追加の符号化ビットを網羅するように拡張される。図４に例示が示される（ＳＩＢ１−ＮＢスクランブルシーケンスの再初期化及び生成の例示）。１つの選択肢は１つおきのサブフレーム＃３を使用する。スクランブルシーケンス発生器は、リリース１４のスキームにしたがったＳＩＢ１−ＮＢの繰返しにおける第１のサブフレームで、（１）にしたがって再初期化される。再初期化後、スクランブルシーケンスが連続的に生成されて、リリース１４のＳＩＢ１−ＮＢ符号語をマスキングする。その後、拡張スクランブルシーケンスが生成されて、拡張符号語の拡張部分をマスキングする。しかしながら、エボルブドノードＢ（ｅＮＢ、基地局）又はＵＥが、スクランブルマスク全体を記憶する必要があることは望ましくない。スクランブルシーケンスをオンザフライで生成できることが非常に望ましい。これを達成するため、本開示の特定の実施形態は、同じフレームのレガシーＳＩＢ１−ＮＢサブフレームで使用されるスクランブルシーケンスに対して２５６０のシフトで、追加のＳＩＢ１−ＮＢサブフレームそれぞれに対してスクランブルシーケンスを生成する。図４に例示が示されるが、Ｎは、ＳＩＢ１−ＮＢサブフレームが保持するＳＩＢ１−ＮＢ符号化ビットの数である。ＳＩＢ１−ＮＢサブフレームそれぞれに対するスクランブルシーケンスの開始のオフセットは、スクランブルシーケンス発生器の再初期化後に生成されるスクランブルシーケンスの第１の要素に対して相対的である。ＳＩＢ１−ＮＢサブフレームにおける符号化ビットの数は最大３２０ビットであることができ、したがって、レガシーＳＩＢ１−ＮＢ符号語の最大長さは３２０×８＝２５６０ビットなので、２５６０という値が選ばれる。各サブフレームにおけるスクランブルシーケンス発生器の開始状態の決定を単純化するため、全ての設定に有効な固定のオフセット値が望ましい。この目的のため、良く知られているｍシーケンス発生器の性質を使用し、ｘ（ｉ）を時間ｉにおけるｍシーケンス発生器状態とし、
2021503751.tif 000012
であり、シーケンス発生器状態の進展は、
2021503751.tif 000013
によって説明することができ、式中、行列
2021503751.tif 000014
はシーケンス発生器多項式によって決定される。したがって、
2021503751.tif 000015
【００４７】
３ＧＰＰ  ＴＳ３６．２１１の従属項７．２によれば、再初期化後のスクランブルシーケンスのｎ番目の要素は、
ｃ（ｎ）＝ｇ（ｎ＋１６００）    式（３）
であり、式中、ｇ（ｎ）、ｘ１（ｎ）、及びｘ２（ｎ）はそれぞれ、再初期化後のゴールドシーケンスのｎ番目の要素、１番目の成分、２番目の成分のｍシーケンスである。
ｇ（ｎ）＝ｘ１（ｎ）＋ｘ２（ｎ）
【００４８】
シーケンスはシフトレジスタの終わりから取られるので、本質的に必要なのは
2021503751.tif 000016
の第１列のみである。また、３ＧＰＰ  ＴＳ３６．２１１の従属項７．２によれば、再初期化後に既に１６００のシフトが適用されていることが注目され（式（３）を参照）、したがって、
2021503751.tif 000017
に対応する長さ３１のベクトルが、元のＳＩＢ１−ＮＢサブフレームに対してｉ番目（ｉ＝１又は２）の成分のｍシーケンスを生成するのに必要である。ここで、項
2021503751.tif 000018
は、行列
2021503751.tif 000019
の第１列を表すのに使用される。この目的のため、スクランブルシーケンスのｎ番目の要素は、
2021503751.tif 000020
として生成される。本明細書の特定の実施形態によれば、サブフレーム＃３（サブフレーム＃４における元のＳＩＢ１−ＮＢサブフレームの直前）におけるスクランブルシーケンスの間にさらに２５６０のシフトがあるので、追加のサブフレームにおけるスクランブルシーケンスのｎ番目の要素は、
2021503751.tif 000021
として生成することができ、式中、
2021503751.tif 000022
であり、
2021503751.tif 000023
及び
2021503751.tif 000024
の両方を予め計算することができる。
【００４９】
図５は、
2021503751.tif 000025
を使用して、
2021503751.tif 000026
を１６００シフト分シフトさせる動作を示している。図面中、長さ３１のベクトル
2021503751.tif 000027
は、
2021503751.tif 000028
によって表される。
【００５０】
スクランブルシーケンスを生成する動作を以下に詳述する。以下の例は、選択肢１が使用されると仮定している（図４を参照）。
（１）図４のＳＩＢ１−ＮＢに使用される１番目のサブフレーム＃３の場合、式（１）に基づいてスクランブル符号発生器を再初期化する。そして、２つのｍシーケンス発生器の初期状態を記憶する。スクランブルシーケンスを、
2021503751.tif 000029
に基づいて生成する。
（２）図４のＳＩＢ１−ＮＢに使用される１番目のサブフレーム＃４の場合、上述のステップから保存した２つのｍシーケンス発生器の初期状態をロードする。スクランブルシーケンスを、
2021503751.tif 000030
に基づいて生成する。
（３）図４のＳＩＢ１−ＮＢに使用される２番目のサブフレーム＃３の場合、２つのｍシーケンス発生器の終了状態を保存する。スクランブルシーケンスを、
2021503751.tif 000031
に基づいて生成する。
（４）図４のＳＩＢ１−ＮＢに使用される２番目のサブフレーム＃４の場合、上述のステップから保存した２つのｍシーケンス発生器の初期状態をロードする。スクランブルシーケンスを、
2021503751.tif 000032
に基づいて生成する。
【００５１】
ステップ（３）及び（４）を繰り返して、図４の残りのＳＩＢ１−ＮＢサブフレームに対してスクランブルシーケンスを生成する。唯一の違いは、ステップ３及び４の各繰返しでｎの範囲がＮ増分されることである。
【００５２】
図６は、特定の実施形態による、後述するネットワークノード１６０、４１２、又は５２０などのネットワークノードによって実施され得る、方法の一例を示している。例えば、いくつかの実施形態では、ネットワークノードは、図６の方法を実施するように設定された処理回路１７０又は５２８を含んでもよい。いくつかの実施形態では、方法はステップ６２で始まって、ＳＩＢ−１ＮＢ情報などのシステム情報の送信を送信してもよい。送信は、サーキュラーバッファから読み取ることによって得られる符号化ビットを含む。いくつかの実施形態では、サーキュラーバッファからの読取りの開始インデックスは、システム情報にマッピングすることができる符号化ビットの数、及びサーキュラーバッファのサイズに基づいて、モジュロ関数を使用して得られる。例示及び説明のため、サーキュラーバッファは３００ビット（例えば、Ａ０〜Ａ２９９）のバッファサイズを有するものとし、システム情報は４００ビット長の符号語（例えば、Ｂ０〜Ｂ３９９）を含むものとする。方法は、符号化ビットをサーキュラーバッファから読み取ることで始まって、Ｂ０がバッファ位置Ａ０から得られ、Ｂ１がバッファ位置Ａ１から得られ、Ｂ２がバッファ位置Ａ２から得られ、そのようにして、サーキュラーバッファの最後の位置に達する（例えば、Ｂ２９９がバッファ位置Ａ２９９から得られる）まで行われてもよい。次に、方法は、バッファ位置Ａ０で始まってＢ３００を取得し、バッファ位置Ａ１でＢ３０１を取得し、そのようにして符号語の終わりに達する（例えば、バッファ位置Ａ９９からＢ３９９が得られる）まで、符号化ビットをサーキュラーバッファから読み取り続けてもよい。符号化ビットを含む送信は、複数の無線フレームのサブフレーム＃４に対応する第１のサブフレームセットで送信される。図２〜４に関して上述したように、いくつかの実施形態では、第１のサブフレームセットは８つのサブフレームを含むので、８つのサブフレームはそれぞれ、符号語の１／８（例えば、４００ビット長の符号語に対して５０ビット）を含んでもよい。いくつかの実施形態では、８つのサブフレームは１つおきのサブフレーム＃４で送信されてもよい。
【００５３】
方法は、ステップ６３に進んで、システム情報の追加の送信を送信する。追加の送信は、サーキュラーバッファから継続して読み取ることによって得られる追加の符号化ビットを含む。上述の段落の例にしたがって、ネットワークノードは、バッファ位置Ａ９９まで読み取ることによって、第１のサブフレームセットで送信された符号化ビットを得たものとする。次に、ネットワークノードは、バッファ位置Ａ１００からの読取りを継続して追加の符号化ビットを得てもよい。追加の符号化ビットを含む追加の送信は、サブフレーム＃４以外の複数の無線フレームのサブフレームに対応する第２のサブフレームセットで送信される。例えば、第２のサブフレームセットは複数の無線フレームのサブフレーム＃３に対応してもよい。図３〜４は、第２のサブフレームセットが８つのサブフレームを含み、８つのサブフレームがそれぞれ、追加の符号化ビットで構成される符号語の１／８を含んでもよい、実施形態を示している。いくつかの実施形態では、８つのサブフレームは１つおきのサブフレーム＃３で送信されてもよい。
【００５４】
いくつかの実施形態では、方法は、方法が第１のサブフレームセットの１６回の繰返しを設定する、ステップ６０と、方法が、第１のサブフレームセットの１６回の繰返しを設定したことに基づいて、第２のサブフレームセットを設定する（例えば、第２のサブフレームセットは、１６回の繰返しが十分ではないときに設定されてもよい）、ステップ６１と、方法が、送信間隔の間に第１のサブフレームセットの１６回の繰返しを送信する、ステップ６４とをさらに含んでもよい。上述したように、いくつかの実施形態では、第１のサブフレームセットは８つのサブフレームに分割されている符号語を備える。この例では、符号語を含む８つのサブフレームのセットは１６回の繰返しで送信されてもよい。特定の実施形態はまた、第２のサブフレームセットの１６回の繰返しなど、第２のサブフレームセット（例えば、追加の符号化ビットを含むサブフレーム＃３）の繰返しを送信してもよい。
【００５５】
図６に示される方法の特定の実施形態は、図４に関して記載したスクランブルマスクなど、システム情報に関するスクランブルマスクを使用してもよい。
【００５６】
図７は、特定の実施形態による、後述するワイヤレスデバイス１１０、２００、４９１、４９２、又は５３０などのワイヤレスデバイスによって実施され得る、方法の一例を示している。例えば、いくつかの実施形態では、ワイヤレスデバイスは、図７の方法を実施するように設定された処理回路１２０、２０１、又は５３８を含んでもよい。いくつかの実施形態では、方法は、ステップ７０で始まって、複数の無線フレームのサブフレーム＃４に対応する第１のサブフレームセットの符号化ビットを含む、システム情報（例えば、ＳＩＢ−１ＮＢ）の送信を受信してもよい。いくつかの実施形態では、第１のサブフレームセットは８つのサブフレームを含み、８つのサブフレームはそれぞれ符号語の１／８を含んでもよい。いくつかの実施形態では、８つのサブフレームは１つおきのサブフレーム＃４で受信されてもよい。システム情報の少なくとも一部分は、第１のサブフレームセットの１つ又は複数の繰返し（最大１６回の繰返しなど）で受信されてもよい。
【００５７】
方法は、ステップ７１に進み、第２のサブフレームセットでシステム情報の追加の送信を受信する。第２のサブフレームセットは、サブフレーム＃４以外の複数の無線フレームのサブフレームに対応する。例えば、第２のサブフレームセットは複数の無線フレームのサブフレーム＃３に対応してもよい。追加の送信は、符号化ビットと関連付けられた開始インデックスから継続する、開始インデックスと関連付けられた追加の符号化ビットを含む。いくつかの実施形態では、第２のサブフレームセットは８つのサブフレームを含み、８つのサブフレームはそれぞれ符号語の１／８を含んでもよい。いくつかの実施形態では、８つのサブフレームは１つおきのサブフレーム＃３で受信されてもよい。システム情報の少なくとも一部分は、第２のサブフレームセットの１つ又は複数の繰返し（最大１６回の繰返しなど）で受信されてもよい。
【００５８】
ステップ７２で、方法は、符号化ビットと関連付けられた開始インデックスにしたがって、符号化ビットをサーキュラーバッファに記憶する。いくつかの実施形態では、第１の開始インデックスは、システム情報にマッピングすることができる符号化ビットの数、及びサーキュラーバッファのサイズに基づいて、モジュロ関数を使用して得られる。一例として、サーキュラーバッファは３００ビット（例えば、Ａ０〜Ａ２９９）のバッファサイズを有するものとし、システム情報は４００ビット長の符号語（例えば、Ｂ０〜Ｂ３９９）を含むものとする。方法は、符号化ビットをサーキュラーバッファに記憶することで始まって、Ｂ０がバッファ位置Ａ０に記憶され、Ｂ１がバッファ位置Ａ１に記憶され、Ｂ２がバッファ位置Ａ２に記憶され、そのようにして、サーキュラーバッファの最後の位置に達する（例えば、Ｂ２９９がバッファ位置Ａ２９９に記憶される）まで行われてもよい。次に、方法は、バッファ位置Ａ０で始まってＢ３００を記憶し、バッファ位置Ａ１でＢ３０１を記憶し、そのようにして符号語の終わりに達する（例えば、Ｂ３９９がバッファ位置Ａ９９に記憶される）まで、符号化ビットをサーキュラーバッファに記憶し続けてもよい。
【００５９】
ステップ７３で、方法は、符号化ビットと関連付けられた開始インデックスから継続する開始インデックスにしたがって、追加の符号化ビットをサーキュラーバッファに記憶する。上述の段落の例にしたがって、ワイヤレスデバイスは、バッファ位置Ａ９９まで記憶することによって、第１のサブフレームセットで受信された符号化ビットを記憶したものとする。次に、ワイヤレスデバイスは、バッファ位置Ａ１００からの追加の符号化ビットを記憶し続けてもよい。いくつかの実施形態では、方法は、同じバッファ位置に記憶された値それぞれを組み合わせて情報を得て、それによってシステム情報が符号化されてもよい。
【００６０】
本明細書に記載の主題は、任意の適切な構成要素を使用する任意の適切なタイプのシステムにおいて実装され得るが、本明細書で開示される実施形態は、図８に示された例示的ワイヤレスネットワークなど、ワイヤレスネットワークに関連して説明される。簡単にするために、図８のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００６１】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又はプロシージャに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００６２】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００６３】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００６４】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００６５】
図８において、ネットワークノード１６０は、処理回路１７０、デバイス可読媒体１８０、インターフェース１９０、補助機器１８４、電源１８６、電力回路１８７、及びアンテナ１６２を含む。図８の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００６６】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【００６７】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００６８】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【００６９】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００７０】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【００７１】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００７２】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャンネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００７３】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【００７４】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００７５】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００７６】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００７７】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図８に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００７８】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【００７９】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【００８０】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【００８１】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャンネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【００８２】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【００８３】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【００８４】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【００８５】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【００８６】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【００８７】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【００８８】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【００８９】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【００９０】
図９は、本明細書に記載する様々な態様による、ＵＥの一実施形態を示している。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図９に示されているような、ＵＥ２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図９はＵＥであるが、本明細書で論じられる構成要素は、ＷＤに同等に適用可能であり、逆もまた同様である。
【００９１】
図９では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図９に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【００９２】
図９では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【００９３】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【００９４】
図９では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【００９５】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【００９６】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【００９７】
図９において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【００９８】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【００９９】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１００】
図１０は、一部の実施形態によって実装される機能が仮想化され得る仮想化環境３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１０１】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１０２】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【０１０３】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１０４】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１０５】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１０６】
図１０に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１０７】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１０８】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１０９】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図１０のアプリケーション３２０に対応する。
【０１１０】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１１１】
一部の実施形態では、一部のシグナリングは、別法としてハードウェアノード３３０と無線ユニット３２００との間の通信のために使用され得る制御システム３２３０の使用の影響を受け得る。
【０１１２】
図１１を参照すると、一実施形態によれば、通信システムは、無線アクセスネットワークなどのアクセスネットワーク４１１及びコアネットワーク４１４を備える、３ＧＰＰタイプのセルラネットワークなどの電気通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１１３】
電気通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。電気通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１１４】
全体としての図１１の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１１５】
前段落で論じられたＵＥ、基地局及びホストコンピュータの一実施形態による例示的実装形態について、図１２を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１１６】
通信システム５００はさらに、電気通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図１２には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、電気通信システムのコアネットワーク（図１２には図示せず）を通過及び／又は電気通信システム外部の１つ又は複数の中間ネットワークを通過してもよい。示された実施形態では、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１１７】
通信システム５００はさらに、すでに参照されたＵＥ５３０を含む。それのハードウェア５３５は、ＵＥ５３０が現在位置するカバレッジエリアにサービスする基地局とのワイヤレス接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５３８を含む。ＵＥ５３０はさらに、ＵＥ５３０に記憶された若しくはこれによってアクセス可能な及び処理回路５３８によって実行可能なソフトウェア５３１を備える。ソフトウェア５３１は、クライアントアプリケーション５３２を含む。クライアントアプリケーション５３２は、ホストコンピュータ５１０のサポートを有して、ＵＥ５３０を介して人間又は非人間ユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービス提供において、クライアントアプリケーション５３２は、ホストアプリケーション５１２から要求データを受信し、要求データに応答してユーザデータを提供することができる。ＯＴＴ接続５５０は、要求データ及びユーザデータの両方を転送することができる。クライアントアプリケーション５３２は、ユーザと相互作用して、それが提供するユーザデータを生成することができる。
【０１１８】
図１２に示されたホストコンピュータ５１０と、基地局５２０と、ＵＥ５３０とは、それぞれ、図１１のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図１２に示されるようでもよく、独立して、周囲のネットワークトポロジは、図１１のそれでもよい。
【０１１９】
図１２において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１２０】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。より詳細には、これらの実施形態の教示は、レイテンシを改善し、それによってユーザの待機時間の低減などの利益をもたらしてもよい。
【０１２１】
測定プロシージャは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定プロシージャ及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定プロシージャに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのようなプロシージャ及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１２２】
図１３は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１３のみの図面の参照が、このセクションに含まれることになる。ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１２３】
図１４は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１４の図面の参照のみが、このセクションに含まれることになる。本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１２４】
図１５は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１５の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１２５】
図１６は、１つの実施形態による、通信システムにおいて実装された方法を示す流れ図である。通信システムは、図１１及び１２を参照して説明されるものでもよいホストコンピュータ、基地局及びＵＥを含む。本開示を簡単にするために、図１６の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１２６】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る、メモリに記憶されたプログラムコードを実行するように設定され得る。メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態において、処理回路は、本開示の１つ又は複数の実施形態による対応する機能をそれぞれの機能ユニットに実行させるために使用され得る。
【０１２７】
いくつかの実施形態では、コンピュータプログラム、コンピュータプログラム製品、又はコンピュータ可読記憶媒体は、コンピュータで実行されたとき、本明細書に開示する実施形態のいずれかを実施する命令を含む。さらなる例では、命令は、信号又はキャリアで伝達され、コンピュータ上で実行可能であり、実行されたとき本明細書に開示する実施形態のいずれかを実施する。
【０１２８】
実施形態
グループＡ実施形態
１．以下を含む、ワイヤレスデバイスによって実施される方法：
−グループＢ実施形態のいずれかにしたがって設定された送信器から、ＳＩＢ１−ＮＢサブフレームを受信するように設定された受信器によって、ある数のレガシーＳＩＢ１−ＮＢサブフレーム及びある数の追加のＳＩＢ１−ＮＢサブフレームを受信すること。
２．さらに以下を含む、前の実施形態のいずれかの方法：
−ユーザデータを提供することと、
−基地局への送信によって、ユーザデータをホストコンピュータに転送すること。
【０１２９】
グループＢ実施形態
３．以下を含む、基地局によって実施される方法：
−レガシー設定にしたがってある数のＳＩＢ１−ＮＢサブフレームを送信することと、
−ＳＩＢ１−ＮＢの搬送ブロックサイズに基づいて、送信する追加のＳＩＢ１−ＮＢサブフレームの数を決定することと、
−追加の数のＳＩＢ１−ＮＢサブフレームを送信すること。
４．前の実施形態の方法、そこで、レガシー設定にしたがって送信されるＳＩＢ１−ＮＢサブフレームの数が、（例えば、Ｒｅｌ−１３又はＲｅｌ−１４にしたがって）サブフレーム＃４で送信される。
５．前の実施形態のいずれかの方法、そこで、追加の数のＳＩＢ１−ＮＢサブフレームが、（例えば、Ｒｅｌ−１５にしたがって）サブフレーム＃３で送信される。
６．ＳＩＢ１−ＮＢのより大きい搬送ブロックサイズに対して、追加のＳＩＢ１−ＮＢサブフレームの数を増加させることをさらに含む、前の実施形態のいずれかの方法。
７．ＳＩＢ１−ＮＢのより小さい搬送ブロックサイズに対して、追加のＳＩＢ１−ＮＢサブフレームの数を減少させることをさらに含む、前の実施形態のいずれかの方法。
８．ＳＩＢ１−ＮＢの搬送ブロックサイズが２０８又は３２８のとき、追加のＳＩＢ１−ＮＢサブフレームの送信に３つおきのサブフレーム＃３を使用することと、ＳＩＢ１−ＮＢの搬送ブロックサイズが４４０又は６８０のとき、追加のＳＩＢ１−ＮＢサブフレームの送信に７つおきのサブフレーム＃３を使用することとをさらに含む、前の実施形態のいずれかの方法。
９．以下を含む、方法：
−仮想サーキュラーバッファから読み取ることによって、レガシーＳＩＢ１−ＮＢサブフレームで送信される符号化ビットを生成することと、
−仮想サーキュラーバッファから継続して読み取ることによって、追加のＳＩＢ１−ＮＢサブフレームで送信される符号化ビットを生成すること。
１０．前の実施形態の方法、そこで、各ＳＩＢ１−ＮＢサブフレームに対して、仮想サーキュラーバッファからの読取りの対応する開始インデックスに基づいて、符号化ビットが得られる。
１１．以下を含む、方法：
−追加のＳＩＢ１−ＮＢサブフレームで送信される符号化ビットをスクランブルするのに使用されるスクランブルシーケンスを生成すること、そこで、スクランブルシーケンスが、レガシースクランブルシーケンスに基づいて再初期化スキームを使用し、そこで、レガシースクランブルシーケンスが、追加の符号化ビットを網羅するように拡張される。
１２．前の実施形態の方法、そこで、同じフレームのレガシーＳＩＢ１−ＮＢサブフレームで使用されるスクランブルシーケンスに対して２５６０のシフトで、追加のＳＩＢ１−ＮＢサブフレームそれぞれに対してスクランブルシーケンスが生成される。
１３．さらに以下を含む、前の実施形態のうちのいずれかの実施形態の方法：
−ユーザデータを取得することと、
−ホストコンピュータ又はワイヤレスデバイスにユーザデータを転送すること。
【０１３０】
グループＣ実施形態
１４．ワイヤレスデバイスであって、以下を備えたワイヤレスデバイス：
−グループＡ実施形態のうちのいずれかの実施形態のステップのうちのいずれかのステップを実行するように設定された処理回路と、
−ワイヤレスデバイスに電力を供給するように設定された電源回路。
１５．基地局であって、以下を備えた基地局：
−グループＢ実施形態のうちのいずれかの実施形態のステップのうちのいずれかのステップを実行するように設定された処理回路と、
−ワイヤレスデバイスに電力を供給するように設定された電源回路。
１６．ユーザ機器（ＵＥ）であって、以下を備えるＵＥ：
−ワイヤレス信号を送る及び受信するように設定されたアンテナと、
−アンテナに及び処理回路に接続されており、アンテナと処理回路との間で通信される信号を調節するように設定された無線フロントエンド回路と、
−グループＡ実施形態のうちのいずれかの実施形態のステップのうちのいずれかのステップを実行するように設定された処理回路と、
−処理回路に接続されており、ＵＥへの情報の入力が処理回路によって処理されることを可能にするように設定された入力インターフェースと、
−処理回路に接続されており、処理回路によって処理されたＵＥからの情報を出力するように設定された出力インターフェースと、
−処理回路に接続されており、ＵＥに電力を供給するように設定されたバッテリ。
１７．以下を備えたホストコンピュータを含む通信システム：
−ユーザデータを提供するように設定された処理回路と、
−ユーザ機器（ＵＥ）への送信のためにセルラネットワークにユーザデータを転送するように設定された通信インターフェース、
−そこで、セルラネットワークは、無線インターフェース及び処理回路を有する基地局を備え、基地局の処理回路は、グループＢ実施形態のうちのいずれかの実施形態のステップのうちのいずれかのステップを実行するように設定されている。
１８．基地局をさらに含む、前の実施形態の通信システム。
１９．さらにＵＥを含む、前の２つの実施形態の通信システム、そこで、ＵＥは基地局と通信するように設定される。
２０．前の３つの実施形態の通信システム、そこでは：
−ホストコンピュータの処理回路は、ホストアプリケーションを実行するように設定され、それによってユーザデータを提供する、そして、
−ＵＥは、ホストアプリケーションと関連するクライアントアプリケーションを実行するように設定された処理回路を備える。
２１．ホストコンピュータ、基地局及びユーザ機器（ＵＥ）を含む通信システムにおいて実装される方法であって、以下を含む方法：
−ホストコンピュータにおいて、ユーザデータを提供することと、
−ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
２２．基地局において、ユーザデータを送信することをさらに含む、前の実施形態の方法。
２３．前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
２４．基地局と通信するように設定されたユーザ機器（ＵＥ）であって、前の３つの実施形態を実行するように設定された無線インターフェース及び処理回路を備えたＵＥ。
２５．以下を備えた、ホストコンピュータを含む通信システム：
−ユーザデータを提供するように設定された処理回路と、
−ユーザ機器（ＵＥ）への送信のためにセルラネットワークにユーザデータを転送するように設定された通信インターフェース、
−そこで、ＵＥは、無線インターフェース及び処理回路を備え、ＵＥの構成要素は、グループＡ実施形態のうちのいずれかの実施形態のステップのうちのいずれかのステップを実行するように設定される。
２６．前の実施形態の通信システム、そこで、セルラネットワークは、ＵＥと通信するように設定された基地局をさらに含む。
２７．前の２つの実施形態の通信システム、そこで：
−ホストコンピュータの処理回路は、ホストアプリケーションを実行するように設定され、それによってユーザデータを提供する、そして、
−ＵＥの処理回路は、ホストアプリケーションと関連するクライアントアプリケーションを実行するように設定される。
２８．ホストコンピュータ、基地局及びユーザ機器（ＵＥ）を含む通信システムにおいて実装される方法であって、以下を含む方法：
−ホストコンピュータにおいて、ユーザデータを提供することと、
−ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
２９．ＵＥにおいて、基地局からユーザデータを受信することをさらに含む、前の実施形態の方法。
３０．以下を備えたホストコンピュータを含む通信システム：
−ユーザ機器（ＵＥ）から基地局への送信に由来するユーザデータを受信するように設定された通信インターフェース、
−そこで、ＵＥは、無線インターフェース及び処理回路を備え、ＵＥの処理回路は、グループＡ実施形態のうちのいずれかの実施形態のステップのうちのいずれかのステップを実行するように設定される。
３１．ＵＥをさらに含む、前の実施形態の通信システム。
３２．基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
３３．前の３つの実施形態の通信システム、そこでは：
−ホストコンピュータの処理回路は、ホストアプリケーションを実行するように設定され、そして、
−ＵＥの処理回路は、ホストアプリケーションと関連するクライアントアプリケーションを実行するように設定され、それによってユーザデータを提供する。
３４．前の４つの実施形態の通信システム、そこでは：
−ホストコンピュータの処理回路は、ホストアプリケーションを実行するように設定され、それによって要求データを提供し、そして、
−ＵＥの処理回路は、ホストアプリケーションと関連するクライアントアプリケーションを実行するように設定され、それによって要求データに応答してユーザデータを提供する。
３５．ホストコンピュータ、基地局及びユーザ機器（ＵＥ）を含む通信システムにおいて実装される方法であって、以下を含む方法：
−ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
３６．ＵＥにおいて、基地局にユーザデータを提供することをさらに含む、前の実施形態の方法。
３７．以下をさらに含む、前の２つの実施形態の方法：
−ＵＥにおいて、クライアントアプリケーションを実行し、それによって送信されることになるユーザデータを提供することと、
−ホストコンピュータにおいて、クライアントアプリケーションと関連するホストアプリケーションを実行すること。
３８．以下をさらに含む、前の３つの実施形態の方法：
−ＵＥにおいて、クライアントアプリケーションを実行することと、
−ＵＥにおいて、クライアントアプリケーションへの入力データを受信することであり、入力データは、クライアントアプリケーションと関連するホストアプリケーションを実行することによって、ホストコンピュータにおいて提供される、こと、
−そこで、送信されることになるユーザデータは、入力データに応答して、クライアントアプリケーションによって提供される。
３９．ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
４０．基地局をさらに含む、前の実施形態の通信システム。
４１．ＵＥをさらに含む、前の２つの実施形態の通信システム、そこで、ＵＥは、基地局と通信するように設定される。
４２．前の３つの実施形態の通信システム、そこでは：
−ホストコンピュータの処理回路は、ホストアプリケーションを実行するように設定され、
−ＵＥは、ホストアプリケーションと関連するクライアントアプリケーションを実行するように設定され、それによって、ホストコンピュータによって受信されることになるユーザデータを提供する。
４３．ホストコンピュータ、基地局及びユーザ機器（ＵＥ）を含む通信システムにおいて実装される方法であって、以下を含む方法：
−ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
４４．基地局において、ＵＥからユーザデータを受信することをさらに含む、前の実施形態の方法。
４５．基地局において、受信されたユーザデータのホストコンピュータへの送信を開始することをさらに含む、前の２つの実施形態の方法。
【図１】
2021503751.tif 000033
【図２】
2021503751.tif 000034
【図３】
2021503751.tif 000035
【図４】
2021503751.tif 000036
【図５】
2021503751.tif 000037
【図６】
2021503751.tif 000038
【図７】
2021503751.tif 000039
【図８】
2021503751.tif 000040
【図９】
2021503751.tif 000041
【図１０】
2021503751.tif 000042
【図１１】
2021503751.tif 000043
【図１２】
2021503751.tif 000044
【図１３】
2021503751.tif 000045
【図１４】
2021503751.tif 000046
【図１５】
2021503751.tif 000047
【図１６】
2021503751.tif 000048
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
サーキュラーバッファから読み取ることによって得られる符号化ビットを含むシステム情報の送信を送信すること（６２）であって、前記送信は、複数の無線フレームのサブフレーム＃４に対応する第１のサブフレームセットで送信される、システム情報の送信を送信すること（６２）と、
前記システム情報の追加の送信を送信すること（６３）であって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信すること（６３）とを含み、
前記第１のサブフレームセットが、１つおきのサブフレーム＃４で送信される８つのサブフレームを含み、前記第２のサブフレームセットがＬ個のサブフレームを含み、Ｌが４つ又は８つのどちらかであり、
ｉ番目のサブフレームの前記符号化ビットを得るための前記サーキュラーバッファからの読取りの開始インデックスが、前記８つの第１のサブフレームセットでは、ｉ＝０，１，・・・，７として、ｉＮ  ｍｏｄｕｌｏ  前記サーキュラーバッファのサイズであり、Ｎが１つのサブフレームにマッピングすることができる符号化ビットの数であり、
ｉ番目のサブフレームの前記追加の符号化ビットを得るための前記サーキュラーバッファからの読取りの開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、ネットワークノードで使用される方法。
【請求項２】
前記第２のサブフレームセットがサブフレーム＃３に対応する、請求項１に記載の方法。
【請求項３】
前記第１のサブフレームセットの１６回の繰返しを設定すること（６０）と、
前記第１のサブフレームセットの前記１６回の繰返しを設定したことに基づいて、前記第２のサブフレームセットを設定すること（６１）とをさらに含む、請求項１又は２に記載の方法。
【請求項４】
前記第１のサブフレームセットの１６回の繰返しを送信すること（６４）をさらに含む、請求項１から３のいずれか一項に記載の方法。
【請求項５】
前記システム情報がシステム情報ブロックタイプ１−狭帯域（ＳＩＢ１−ＮＢ）情報を含む、請求項１から４のいずれか一項に記載の方法。
【請求項６】
サーキュラーバッファから読み取ることによって得られる符号化ビットを含むシステム情報の送信を送信することであって、前記送信は、複数の無線フレームのサブフレーム＃４に対応する第１のサブフレームセットで送信される、システム情報の送信を送信することと、
前記システム情報の追加の送信を送信することであって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信することとを行うように動作可能であり、
前記第１のサブフレームセットが、１つおきのサブフレーム＃４で送信される８つのサブフレームを含み、前記第２のサブフレームセットがＬ個のサブフレームを含み、Ｌが４つ又は８つのどちらかであり、
ｉ番目のサブフレームの前記符号化ビットを得るための前記サーキュラーバッファからの読取りの開始インデックスが、前記８つの第１のサブフレームセットでは、ｉ＝０，１，・・・，７として、ｉＮ  ｍｏｄｕｌｏ  前記サーキュラーバッファのサイズであり、Ｎが１つのサブフレームにマッピングすることができる符号化ビットの数であり、
ｉ番目のサブフレームの前記追加の符号化ビットを得るための前記サーキュラーバッファからの読取りの開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、ネットワークノード（１６０、４１２、又は５２０）。
【請求項７】
前記第２のサブフレームセットがサブフレーム＃３に対応する、請求項６に記載のネットワークノード。
【請求項８】
前記ネットワークノードが、
前記第１のサブフレームセットの１６回の繰返しを設定し、
前記第１のサブフレームセットの前記１６回の繰返しを設定したことに基づいて、前記第２のサブフレームセットを設定するようにさらに動作可能である、請求項６又は７に記載のネットワークノード。
【請求項９】
前記ネットワークノードが、
前記第１のサブフレームセットの１６回の繰返しを送信するようにさらに動作可能である、請求項６から８のいずれか一項に記載のネットワークノード。
【請求項１０】
前記システム情報がシステム情報ブロックタイプ１−狭帯域（ＳＩＢ１−ＮＢ）情報を含む、請求項６から９のいずれか一項に記載のネットワークノード。
【請求項１１】
ネットワークノードによって実行されたとき、
サーキュラーバッファから読み取ることによって得られる符号化ビットを含むシステム情報の送信を送信すること（６２）であって、前記送信は、複数の無線フレームのサブフレーム＃４に対応する第１のサブフレームセットで送信される、システム情報の送信を送信すること（６２）と、
前記システム情報の追加の送信を送信すること（６３）であって、前記追加の送信は、前記サーキュラーバッファからの読取りを継続することによって得られる追加の符号化ビットを含み、前記追加の送信は、サブフレーム＃４以外の前記複数の無線フレームのサブフレームに対応する第２のサブフレームセットで送信される、追加の送信を送信すること（６３）とを含む動作を、前記ネットワークノードに実施させる命令を含み、
前記第１のサブフレームセットが、１つおきのサブフレーム＃４で送信される８つのサブフレームを含み、前記第２のサブフレームセットがＬ個のサブフレームを含み、Ｌが４つ又は８つのどちらかであり、
ｉ番目のサブフレームの前記符号化ビットを得るための前記サーキュラーバッファからの読取りの開始インデックスが、前記８つの第１のサブフレームセットでは、ｉ＝０，１，・・・，７として、ｉＮ  ｍｏｄｕｌｏ  前記サーキュラーバッファのサイズであり、Ｎが１つのサブフレームにマッピングすることができる符号化ビットの数であり、
ｉ番目のサブフレームの前記追加の符号化ビットを得るための前記サーキュラーバッファからの読取りの開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、コンピュータプログラム製品。
【請求項１２】
システム情報の送信を受信すること（７０）であって、前記送信は、複数の無線フレームのサブフレーム＃４に対応する第１のサブフレームセットで受信される符号化ビットを含む、システム情報の送信を受信すること（７０）と、
前記システム情報の追加の送信を受信すること（７１）であって、前記追加の送信は、追加の符号化ビットを含み、前記追加の送信は、サブフレーム＃４以外の前記複数の無線フレームのサブフレームに対応する第２のサブフレームセットで受信される、追加の送信を受信すること（７１）とを含み、
前記追加の符号化ビットが、前記符号化ビットと関連付けられた開始インデックスから継続する、開始インデックスと関連付けられ、
前記第１のサブフレームセットが、１つおきのサブフレーム＃４で受信される８つのサブフレームを含み、前記第２のサブフレームセットがＬ個のサブフレームを含み、Ｌが４つ又は８つのどちらかであり、
ｉ番目のサブフレームの前記符号化ビットと関連付けられた前記開始インデックスが、前記８つの第１のサブフレームセットでは、ｉ＝０，１，・・・，７として、ｉＮ  ｍｏｄｕｌｏ  サーキュラーバッファのサイズであり、Ｎが１つのサブフレームにマッピングすることができる符号化ビットの数であり、
ｉ番目のサブフレームの前記追加の符号化ビットと関連付けられた前記開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、ワイヤレスデバイスで使用される方法。
【請求項１３】
前記第２のサブフレームセットがサブフレーム＃３に対応する、請求項１２に記載の方法。
【請求項１４】
前記符号化ビットと関連付けられた前記開始インデックスにしたがって、前記符号化ビットをサーキュラーバッファに記憶すること（７２）と、
前記符号化ビットと関連付けられた前記開始インデックスから継続する前記開始インデックスにしたがって、前記追加の符号化ビットを前記サーキュラーバッファに記憶すること（７３）とをさらに含む、請求項１２又は１３に記載の方法。
【請求項１５】
前記システム情報がシステム情報ブロックタイプ１−狭帯域（ＳＩＢ１−ＮＢ）情報を含む、請求項１２から１４のいずれか一項に記載の方法。
【請求項１６】
システム情報の送信を受信することであって、前記送信は、複数の無線フレームのサブフレーム＃４に対応する第１のサブフレームセットで受信される符号化ビットを含む、システム情報の送信を受信することと、
前記システム情報の追加の送信を受信することであって、前記追加の送信は、追加の符号化ビットを含み、前記追加の送信は、サブフレーム＃４以外の前記複数の無線フレームのサブフレームに対応する第２のサブフレームセットで受信される、追加の送信を受信することとを行うように動作可能であり、
前記追加の符号化ビットが、前記符号化ビットと関連付けられた開始インデックスから継続する、開始インデックスと関連付けられ、
前記第１のサブフレームセットが、１つおきのサブフレーム＃４で受信される８つのサブフレームを含み、前記第２のサブフレームセットがＬ個のサブフレームを含み、Ｌが４つ又は８つのどちらかであり、
ｉ番目のサブフレームの前記符号化ビットと関連付けられた前記開始インデックスが、前記８つの第１のサブフレームセットでは、ｉ＝０，１，・・・，７として、ｉＮ  ｍｏｄｕｌｏ  サーキュラーバッファのサイズであり、Ｎが１つのサブフレームにマッピングすることができる符号化ビットの数であり、
ｉ番目のサブフレームの前記追加の符号化ビットと関連付けられた前記開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、ワイヤレスデバイス（１１０、２００、４９１、４９２、又は５３０）。
【請求項１７】
前記第２のサブフレームセットがサブフレーム＃３に対応する、請求項１６に記載のワイヤレスデバイス。
【請求項１８】
前記符号化ビットと関連付けられた前記開始インデックスにしたがって、前記符号化ビットをサーキュラーバッファに記憶し、
前記符号化ビットと関連付けられた前記開始インデックスから継続する前記開始インデックスにしたがって、前記追加の符号化ビットを前記サーキュラーバッファに記憶するようにさらに動作可能である、請求項１６又は１７に記載のワイヤレスデバイス。
【請求項１９】
前記システム情報がシステム情報ブロックタイプ１−狭帯域（ＳＩＢ１−ＮＢ）情報を含む、請求項１６から１８のいずれか一項に記載のワイヤレスデバイス。
【請求項２０】
ワイヤレスデバイスによって実行されたとき、
システム情報の送信を受信することであって、前記送信は、複数の無線フレームのサブフレーム＃４に対応する第１のサブフレームセットで受信される符号化ビットを含む、システム情報の送信を受信することと、
前記システム情報の追加の送信を受信することであって、前記追加の送信は、追加の符号化ビットを含み、前記追加の送信は、サブフレーム＃４以外の前記複数の無線フレームのサブフレームに対応する第２のサブフレームセットで受信される、追加の送信を受信することとを含む動作を、前記ワイヤレスデバイスに実施させる命令を含み、
前記追加の符号化ビットが、前記符号化ビットと関連付けられた開始インデックスから継続する、開始インデックスと関連付けられ、
前記第１のサブフレームセットが、１つおきのサブフレーム＃４で受信される８つのサブフレームを含み、前記第２のサブフレームセットがＬ個のサブフレームを含み、Ｌが４つ又は８つのどちらかであり、
ｉ番目のサブフレームの前記符号化ビットと関連付けられた前記開始インデックスが、前記８つの第１のサブフレームセットでは、ｉ＝０，１，・・・，７として、ｉＮ  ｍｏｄｕｌｏ  サーキュラーバッファのサイズであり、Ｎが１つのサブフレームにマッピングすることができる符号化ビットの数であり、
ｉ番目のサブフレームの前記追加の符号化ビットと関連付けられた前記開始インデックスが、前記Ｌ個の第２のサブフレームセットでは、ｉ＝０，１，・・・，Ｌ−１として、（ｉＮ＋８Ｎ）  ｍｏｄｕｌｏ  前記サーキュラーバッファのサイズである、コンピュータプログラム製品。
【国際調査報告】
2021503751.tif 000049
2021503751.tif 000050
2021503751.tif 000051